(57)【要約】【課題】ホスト機器がスタンバイ状態から復帰した場合にも、デバイスをホスト機器の認識から外させないデバイス認識方法を提供する。【解決手段】ホスト機器(6)がデバイス(21)にスタンバイ移行を指示するステップと、デバイスが、揮発性メモリ(46)に格納されたファームウェアのうち、その内部の設定領域(54)をホスト機器にバックアップするステップと、ホスト機器がデバイスにスタンバイ復帰を指示するステップと、デバイスがホスト機器を探索し、バックアップした設定領域の存在を確認するステップと、デバイスが、ホスト機器に格納したデバイスの制御に必要なファームウェアのうち、仮のポーリング応答可能なファームウェア(12)のみをホスト機器から取得するステップと、デバイスが、ホスト機器のポーリング要求に対し、取得したファームウェアを用いて仮のポーリング応答をホスト機器に行うステップとから構成される。【選択図】図６
2010257354.tif 000002
【特許請求の範囲】
【請求項１】
その制御に必要なファームウェアを格納した揮発性メモリを有するデバイスと、該デバイスに接続されており、該デバイスの制御に必要なファームウェアを格納したホスト機器とを具備し、該ホスト機器がポーリングによって前記デバイスの有無を確認するデバイス認識方法であって、
前記ホスト機器が前記デバイスにスタンバイ移行を指示するステップと、
該デバイスが、前記揮発性メモリに格納されたファームウェアのうち、その内部の設定領域を前記ホスト機器にバックアップするステップと、
前記ホスト機器が前記デバイスにスタンバイ復帰を指示するステップと、
前記デバイスが前記ホスト機器を探索し、前記バックアップした設定領域の存在を確認するステップと、
前記デバイスが、前記ホスト機器に格納した前記デバイスの制御に必要なファームウェアのうち、仮のポーリング応答可能なファームウェアのみを前記ホスト機器から取得するステップと、
前記デバイスが、前記ホスト機器のポーリング要求に対し、該取得したファームウェアを用いて仮のポーリング応答を前記ホスト機器に行うステップと
から構成されるデバイス認識方法。
【請求項２】
請求項１に記載のデバイス認識方法であって、
前記取得したファームウェアを用いて仮のポーリング応答を前記ホスト機器に行うステップに続き、
前記デバイスが、前記ホスト機器に格納した前記デバイスの制御に必要なファームウェアの総て、及び前記バックアップした設定領域を前記ホスト機器から取得するステップと、
前記デバイスが、前記ホスト機器のポーリング要求に対し、該取得したファームウェアを用いて正規のポーリング応答を前記ホスト機器に行うステップと
を含むデバイス認識方法。
【請求項３】
請求項１又は２に記載のデバイス認識方法であって、
前記デバイスが、前記揮発性メモリに格納されたファームウェアのうち、その内部の設定領域を前記ホスト機器にバックアップするステップに続き、
該デバイスは、該揮発性メモリに格納されたファームウェアのうち、仮のポーリング応答可能なファームウェアのみを前記揮発性メモリに残すステップと
をさらに含むデバイス認識方法。
【請求項４】
請求項１から３のいずれか一項に記載のデバイス認識方法であって、
前記デバイスは、前記ホスト機器からのデータ取得を指示するソフトウェアを格納可能な程度の容量の不揮発性メモリを搭載することを特徴とするデバイス認識方法。
【発明の詳細な説明】
【技術分野】
【０００１】
本発明は、ホスト機器が接続関係にある電子機器のデバイスを認識するデバイス認識方法に関するものである。
【背景技術】
【０００２】
この種のデバイスは、電子機器、例えば携帯電話機、ＰＤＡ、無線ＬＡＮ機器等にそれぞれ組み込まれており、機器の機能などを決定するプログラム（ファームウェア）で当該機器を制御している。
これら電子機器は、例えばパーソナルコンピュータなどのホスト機器に電気的に接続可能であり、ホスト機器との間でデータ通信が可能である。
【０００３】
また、電子機器の状態はホスト機器の状態に依存する。詳しくは、ホスト機器がアクティブ状態からスタンバイ状態に移行すると、電子機器、例えば無線ＬＡＮ機器の例で云えばアウェイク状態からスリープ状態に移行し、無線信号の送受信を実行しなくなる（例えば、特許文献１参照）。これにより、無線ＬＡＮ機器の消費電力を抑えることができる。
【先行技術文献】
【特許文献】
【０００４】
【特許文献１】特開２００８−６１１１１号公報
【発明の概要】
【発明が解決しようとする課題】
【０００５】
ところで、上述した電子機器のデバイスには、ファームウェアを、フラッシュメモリではなく、揮発性メモリ（ＲＡＭ）に格納する構造がある。
具体的には、当該構造のデバイスは、フラッシュメモリに替えて小容量の不揮発性メモリ（ＲＯＭ）を搭載しており、上記例で云えば、無線ＬＡＮ機器の電源がオフ作動した場合にはＲＡＭの内容、つまり、ファームウェアは消失する。その後、無線ＬＡＮ機器の電源がオン作動した場合に、ファームウェアをホスト機器から取得してＲＡＭに格納し、デバイスの初期化が完了してから無線ＬＡＮ機器がアウェイク状態になる。
【０００６】
ここで、ホスト機器がスタンバイ状態から復帰した場合であっても、当該構造のデバイスは直ちに使用可能にならず、電子機器のユーザに不快感を与えてしまうとの問題がある。
なぜならば、ホスト機器はポーリングによって接続関係にある電子機器のデバイスの有無を確認している。このホスト機器のコールドスタートの場合には当該ホスト機器の起動が完了するまでにデバイスの初期化も完了するので、この問題は生じない。
【０００７】
しかしながら、ホスト機器がスタンバイ状態から復帰した場合には、ホスト機器の起動完了が、ＲＡＭへのファームウェアの格納、及びデバイスの初期化の完了よりも早くなり、当該スタンバイ復帰時点から当該デバイスの初期化完了時点までの間に、ホスト機器がデバイスにポーリング要求を行うと、このデバイスはポーリング応答をホスト機器に行えないため、当該デバイスはホスト機器の認識から外れ、次回のポーリング要求に応答するまで使用できなくなるからである。
【０００８】
そこで、本発明の目的は、上記課題を解消し、ホスト機器がスタンバイ状態から復帰した場合にも、デバイスをホスト機器の認識から外させないデバイス認識方法を提供することである。
【課題を解決するための手段】
【０００９】
上記目的を達成するための第１の発明は、その制御に必要なファームウェアを格納した揮発性メモリを有するデバイスと、デバイスに接続されており、デバイスの制御に必要なファームウェアを格納したホスト機器とを具備し、ホスト機器がポーリングによってデバイスの有無を確認するデバイス認識方法である。
【００１０】
そして、ホスト機器がデバイスにスタンバイ移行を指示するステップと、デバイスが、揮発性メモリに格納されたファームウェアのうち、その内部の設定領域をホスト機器にバックアップするステップと、ホスト機器がデバイスにスタンバイ復帰を指示するステップと、デバイスがホスト機器を探索し、バックアップした設定領域の存在を確認するステップと、デバイスが、ホスト機器に格納したデバイスの制御に必要なファームウェアのうち、仮のポーリング応答可能なファームウェアのみをホスト機器から取得するステップと、デバイスが、ホスト機器のポーリング要求に対し、取得したファームウェアを用いて仮のポーリング応答をホスト機器に行うステップとから構成される。
【００１１】
第１の発明によれば、ホスト機器とデバイスとが接続されており、ホスト機器はポーリングによってデバイスの有無を確認する。
また、ホスト機器にはデバイスの制御に必要なファームウェアが格納されているのに対し、デバイスの揮発性メモリにも、その制御に必要なファームウェアが格納されている。
【００１２】
ここで、ホスト機器がスタンバイ状態に移行すると、その電源がオフ作動になるため、揮発性メモリの内容は消失することになる。
しかし、デバイスは、このホスト機器のスタンバイ状態に移行する前に、揮発性メモリに格納されたファームウェアのうち、その内部の設定領域をホスト機器にバックアップする。
【００１３】
次いで、ホスト機器側がオン作動し、スタンバイ状態が解消されると、デバイスは、バックアップした設定領域の存在をホスト機器で確認するとともに、ホスト機器に格納したデバイスの制御に必要なファームウェアのうち、仮のポーリング応答可能なファームウェアのみをホスト機器から取得する。
よって、このデバイスは、ホスト機器のポーリング要求に対して仮のポーリング応答をホスト機器に行うことができるので、ホスト機器の認識から外れない。この結果、ファームウェアを揮発性メモリに格納するデバイスを用いても、従来に比してデバイスを速やかに使用可能になる。
【００１４】
第２の発明は、第１の発明の構成において、取得したファームウェアを用いて仮のポーリング応答をホスト機器に行うステップに続き、デバイスが、ホスト機器に格納したデバイスの制御に必要なファームウェアの総て、及びバックアップした設定領域をホスト機器から取得するステップと、デバイスが、ホスト機器のポーリング要求に対し、取得したファームウェアを用いて正規のポーリング応答をホスト機器に行うステップとを含むことを特徴とする。
【００１５】
第２の発明によれば、第１の発明の作用に加えてさらに、仮のポーリング応答を行った後に、デバイスの制御に必要なファームウェアの総てをホスト機器から取得し、当該取得の完了後にデバイスの初期化を行うことになるが、このデバイスは、バックアップした設定領域もホスト機器から取得しているので、当該設定領域を改めて初めから作成する必要がない。よって、デバイスをより一層速やかに使用できる。
【００１６】
第３の発明は、第１や第２の発明の構成において、デバイスが、揮発性メモリに格納されたファームウェアのうち、その内部の設定領域をホスト機器にバックアップするステップに続き、デバイスは、揮発性メモリに格納されたファームウェアのうち、仮のポーリング応答可能なファームウェアのみを揮発性メモリに残すステップとをさらに含むことを特徴とする。
【００１７】
第３の発明によれば、第１や第２の発明の作用に加えてさらに、ファームウェア内部の設定領域をホスト機器にバックアップするが、仮のポーリング応答可能なファームウェアのみは揮発性メモリに残している。よって、仮に、ホスト機器がスタンバイ状態に移行して揮発性メモリの内容が消失する前にも、デバイスは、ホスト機器のポーリング要求に対して仮のポーリング応答をホスト機器に行うことができ、ホスト機器の認識から確実に外れなくなくなる。
【００１８】
第４の発明は、第１から第３の発明の構成において、デバイスは、ホスト機器からのデータ取得を指示するソフトウェアを格納可能な程度の容量の不揮発性メモリを搭載することを特徴とする。
第４の発明によれば、第１から第３の発明の作用に加えてさらに、デバイスが、フラッシュメモリではなく、小容量の不揮発性メモリを搭載していた場合には、ファームウェアはホスト機器から揮発性メモリに随時取得できるので、ファームウェアの更新が容易になり、デバイスの信頼性向上に寄与する。
【発明の効果】
【００１９】
本発明によれば、デバイスは、ホスト機器がスタンバイ状態から復帰した場合に、ポーリング要求に応答するだけのファームウェアを準備しているため、ホスト機器の認識から外れないデバイス認識方法を提供することができる。
【図面の簡単な説明】
【００２０】
【図１】本実施例のホスト機器及び電子機器の外観図である。
【図２】図１のホスト機器及び電子機器の概略構成図である。
【図３】図１のホスト機器のスタンバイ移行時を示す図である。
【図４】図１のホスト機器のスタンバイ状態を示す図である。
【図５】図１のホスト機器のアクティブ移行時を示す図である。
【図６】図１のホスト機器のアクティブ状態を示す図である。
【図７】図１のホスト機器のアクティブ状態であって、電子機器によるファームウェアのフルダウンロード時を示す図である。
【図８】図１のホスト機器のアクティブ状態であって、電子機器におけるデバイスの初期化完了時を示す図である。
【発明を実施するための形態】
【００２１】
以下、本発明の好適な実施例を図面に基づいて説明する。
図１に示されたパーソナルコンピュータは、ディスプレイ２、キーボード４及びＰＣ本体（ホスト機器）６を備えており、インターネットに接続可能に構成されている。また、このＰＣ本体６はハードディスクドライブ（ＨＤＤ）を有し、このＨＤＤに電子機器、例えば無線ＬＡＮ機器２０の制御に必要なファームウェアを格納している。
【００２２】
詳しくは、図２に示される如く、ＰＣ本体６のＨＤＤには、カーネル（Ｋｅｒｎｅｌ）やファイルシステム（Ｆｉｌｅ
Ｓｙｓｔｅｍ）のようなファームウェア１０が格納される。このファイルシステムは、無線ＬＡＮ機器２０のデバイス２１を制御可能なソフトウェアであり、一方、カーネルは、これらファイルシステムとデバイス２１とのやり取りを管理するソフトウェアである。
【００２３】
さらに、本実施例のＰＣ本体６のＨＤＤには、後述するダミー応答用のファームウェア１２も予め格納されている。
これらＰＣ本体６と無線ＬＡＮ機器２０とは、ＰＣ本体６から引き出された接続部８を介して電気的に接続されている。この接続部８はＵＳＢ等の規格に対応しており、本実施例の無線ＬＡＮ機器２０は、ＰＣ本体６のアクティブ状態でもＰＣ本体６から容易に取り外し可能な携帯型の機器である。
【００２４】
より具体的には、この無線ＬＡＮ機器２０は、ユーザの片手に収まる筐体を有し、筐体には外部から視認可能なパネル２２と、このパネル２２部分のスライドによって初めて視認可能なキーボード２４とを有し、また、筐体の適宜位置にはスピーカ２６が設けられている。一方、この筐体の内部にはデバイス２１の他、所定のプロトコルを使用してインターネットやＬＡＮ，ＷＡＮ等のネットワークに接続可能な無線ＬＡＮモジュール２８や、２次電池３０が組み込まれている。
【００２５】
このデバイス２１は、ＣＰＵ４０、ＲＯＭ（不揮発性メモリ）４２、ＲＡＭ（揮発性メモリ）４６やオペレーションシステム（ＯＳ）６０を用いて所定のプログラムを実行しており、ＯＳ６０を介して無線ＬＡＮ機器２０を操作する。なお、ＯＳ６０には、インタフェース（Ｉ／Ｆ）制御部６２や、後述するデバイス認識確保部６４の機能要素が含まれる。
【００２６】
ここで、本実施例のデバイス２１は、いわゆるフラッシュレスデバイスであり、上述のＲＯＭ４２は、ＰＣ本体６からのデータ取得を指示するダウンローダ４４を格納可能な程度の容量で構成されている。また、無線ＬＡＮ機器２０がアウェイク状態にあることを条件として、上述のＲＡＭ４６には、ダウンローダ４８の他、カーネル（Ｋｅｒｎｅｌ）５０やファイルシステム（Ｆｉｌｅ
Ｓｙｓｔｅｍ）５２が格納されている。
【００２７】
次に、図３から図８を用い、ＰＣ本体６を有するパーソナルコンピュータと無線ＬＡＮ機器２０とで構成されたシステムの本発明に係る作用について説明する。
まず、アウェイク状態のデバイス２１では、その無線ＬＡＮモジュール２８が無線信号の送受信を実行しており、アクティブ状態のＰＣ本体６が当該デバイス２１に対してポーリング要求を行うと、デバイス２１のＯＳ６０は、フル（正規）のポーリング応答をＰＣ本体６に行う。よって、当該ＰＣ本体６はデバイス２１を認識する。
【００２８】
ここで、ＰＣ本体６がアクティブ状態からスタンバイ状態、より詳しくは、このパーソナルコンピュータの消費電力を抑えるべくディスプレイ２やＨＤＤの電源は落とすものの、そのメモリの内容はＨＤＤに保存せず、当該コンピュータの電源は落とさない状態に移行すると、図３に示されるように、ＰＣ本体６が無線ＬＡＮ機器２０のデバイス２１にスタンバイ移行を指示する。
【００２９】
この指示に対し、ＯＳ６０は、ＲＡＭ４６に格納されたファイルシステム５２のうち、その内部の設定領域５４、一例を挙げれば、デバイス２１のレジスタ情報をＰＣ本体６にバックアップする。
本実施例のＯＳ６０は、当該設定領域５４のバックアップの完了後に、ファイルシステム５２内部のスリープ処理５６をＲＡＭ４６内に移動させ、デバイス２１はスリープ状態に移行する。なお、このスリープ処理５６の移動は必須ではなく、デバイス２１は、設定領域５４のバックアップの完了後に、スリープ状態に移行しても良い。
【００３０】
続いて、ＰＣ本体６のスタンバイ状態では、図４に示される如く、ファイルシステム５２内部の設定領域５４はＰＣ本体６に保存される一方、スリープ状態のデバイス２１では、ＲＡＭ４６の内容、つまり、本実施例で云えば、ダウンローダ４８、カーネル５０、ファイルシステム５２の他、スリープ処理５６も総て消失する。なお、無線ＬＡＮモジュール２８も無線信号の送受信を実行しない。
【００３１】
次に、ディスプレイ２等の電源がオン作動し、このＰＣ本体６がデバイス２１にスタンバイ復帰を指示すると、図５に示されるように、ＲＯＭ４２のダウンローダ４４が起動し、自身をＲＡＭ４６にコピーしており、このＲＡＭ４６にはダウンローダ４８が格納される。
そして、ＯＳ６０はＰＣ本体６を探索し、バックアップした設定領域５４の有無を判定する。
【００３２】
ここで、ＯＳ６０が設定領域５４の存在を確認した場合には、このＯＳ６０は、カーネルやファイルシステムのファームウェア１０をＰＣ本体６から取得するのではなく、ダミー応答用のファームウェア１２のみをＰＣ本体６から取得し、当該ファームウェア１２をＲＡＭ４６にダウンロードする。
本実施例のダミー応答用のファームウェア１２は「スリープ状態である」旨をＰＣ本体６に応答する機能のみを有している。
【００３３】
より具体的には、このファームウェア１２は、ＰＣ本体６からの如何なる要求に対しても「スリープ状態である」旨を応答し、この「スリープ状態である」旨以外の応答をＰＣ本体６に行わないものである。よって、当該ファームウェア１２のＲＡＭ４６へのダウンロードに要する時間は約１ｓｅｃにも満たない。
【００３４】
その後、このＰＣ本体６がアクティブ状態になると、図６に示される如く、デバイス２１に対してポーリング要求を行うことになる。
当該ポーリング要求に対し、ＯＳ６０のデバイス認識確保部６４は、当該ダミー応答用のファームウェア１２によるスリープ処理６７を用い、「スリープ状態である」旨の応答をＰＣ本体６に行う。したがって、当該ＰＣ本体６はスリープ状態のデバイス２１を発見し、当該デバイス２１はＰＣ本体６の認識から外れない。
【００３５】
続いて、この応答を終えたデバイス２１のＯＳ６０は、図７に示されるように、デバイス２１の制御に必要な総てのファームウェア１０をＰＣ本体６から取得しており、当該ファームウェア１０によるカーネル５０やファイルシステム５２をＲＡＭ４６にダウンロードする（フルＦＷダウンロード）。
【００３６】
なお、仮に、このフルＦＷダウンロードが完了するまでに、ＰＣ本体６からポーリング要求が行われた場合には、デバイス認識確保部６４が上述したスリープ処理６７によってＰＣ本体６に応答する。
また、このＯＳ６０は、上述したカーネル５０やファイルシステム５２の取得と同時に、ファイルシステム５２内部の設定領域５４もＰＣ本体６から取得しており、当該設定領域５４をファイルシステム５２に組み込む。これにより、デバイス２１の初期化に要する時間が約１〜２ｓｅｃで済む。
【００３７】
この結果、デバイス２１は初期化が完了したアウェイク状態になり、その後のＯＳ６０は、ＰＣ本体６からのポーリング要求に対し、取得したカーネル５０やファイルシステム５２を用いてフル（正規）のポーリング応答、つまり、上記「スリープ状態である」旨以外の応答についてもＰＣ本体６に行うことになる（図８）。
【００３８】
以上のように、本発明は、フラッシュレスデバイス２１がＰＣ本体６から認識されるまでに要する時間の短縮化を主眼としたものである。
そして、本実施例によれば、ＰＣ本体６とデバイス２１とが接続されており、ＰＣ本体６はポーリングによってデバイス２１の有無を確認する。
また、ＰＣ本体６にはデバイス２１の制御に必要なファームウェア１０が格納されているのに対し、デバイス２１のＲＡＭ４６にも、その制御に必要なファームウェア５０，５２が格納されている。
【００３９】
ここで、ＰＣ本体６がスタンバイ状態に移行すると、その電源がオフ作動になるため、ＲＡＭ４６の内容は消失することになる。
しかし、デバイス２１のＯＳ６０は、ＰＣ本体６のスタンバイ状態に移行する前に、ＲＡＭ４６に格納されたファイルシステム５２のうち、その内部の設定領域５４をＰＣ本体６にバックアップする。
【００４０】
次いで、ディスプレイ２等の電源がオン作動し、スタンバイ状態が解消されると、デバイス２１のＯＳ６０は、バックアップした設定領域５４の存在をＰＣ本体６で確認するとともに、ＰＣ本体６に格納したデバイス２１の制御に必要なファームウェアのうち、仮のポーリング応答可能なファームウェア１２のみをＰＣ本体６からＲＡＭ４６にダウンロードする。
【００４１】
よって、このデバイス２１のＯＳ６０は、ＰＣ本体６からデバイス２１へのポーリング要求に対して仮のポーリング応答をＰＣ本体６に行うことができるので、ＰＣ本体６によるデバイス２１の認識から外れない。
この結果、ファームウェア５０，５２をＲＡＭ４６に格納するデバイス２１を用いても、従来の構成、つまり、ＰＣ本体のスタンバイ状態が解消された時点で、ＰＣ本体に格納したデバイスの制御に必要なファームウェアの総てをＰＣ本体から取得し（フルＦＷダウンロード）、その後、デバイスの初期化を行っていたために、ポーリング応答が困難になり、デバイスを使用できなくなっていた構成に比して、デバイス２１を速やかに使用可能になる。
【００４２】
また、仮のポーリング応答を行った後に、デバイス２１の制御に必要なファームウェア１０の総てをＰＣ本体６から取得し、当該取得の完了後にデバイス２１の初期化を行うことになるが、このデバイス２１のＯＳ６０は、バックアップした設定領域５４もＰＣ本体６から取得しているので、当該設定領域５４を改めて初めから作成する必要がなく、デバイス２１の初期化に要する時間が短くて済む。よって、デバイス２１をより一層速やかに使用できる。
【００４３】
この点について詳述すると、上述した従来の構成によれば、ＰＣ本体６がデバイス２１にスタンバイ復帰を指示した時点からフルＦＷダウンロード、続いて、デバイス２１の初期化を行うと、ポーリング要求に応答できないため、次回のポーリング要求に応答した場合には、ユーザに約１０ｓｅｃ程の待ち時間を強要することになる。これに対し、本実施例によれば、ＰＣ本体６がデバイス２１にスタンバイ復帰を指示してからデバイス２１の初期化完了までに要する時間は、上述の如く計約２〜３ｓｅｃで済み、ユーザに不快感を与えないのである。
【００４４】
さらに、上記設定領域５４をＰＣ本体６にバックアップするが、仮のポーリング応答可能なファームウェア１２のみはＲＡＭ４６に残している。よって、仮に、ＰＣ本体６がスタンバイ状態に移行してＲＡＭ４６の内容は消失する前にも、デバイス２１のＯＳ６０は、ＰＣ本体６からデバイス２１へのポーリング要求に対して仮のポーリング応答をＰＣ本体６に行うことができ、ＰＣ本体６によるデバイス２１の認識から確実に外れなくなくなる。
【００４５】
さらにまた、デバイス２１が、フラッシュメモリではなく、小容量のＲＯＭ４２を搭載していた場合には、ファームウェア５０，５２は、ＰＣ本体６から随時取得できるので、ファームウェア５０，５２の更新が容易になり、デバイス２１の信頼性向上に寄与する。
本発明は、上記実施例に限定されず、特許請求の範囲を逸脱しない範囲で種々の変更を行うことができる。
【００４６】
例えば、上記実施例のダミー応答用のファームウェア１２は、「スリープ状態である」旨をＰＣ本体６に応答するものであるが、必ずしもこの例に限定されるものではなく、「アイドル状態である」旨、或いは「ワイヤレスオフ状態である」旨をＰＣ本体６に応答するものであって良く、この場合にも上記と同様に、ＰＣ本体６がスタンバイ状態から復帰した場合にも、デバイス２１をＰＣ本体６の認識から外させないとの効果を奏する。
【符号の説明】
【００４７】
６  ＰＣ本体（ホスト機器）
１２  ダミー応答用ファームウェア
２０  無線ＬＡＮ機器
２１  デバイス
４２  ＲＯＭ（不揮発性メモリ）
４６  ＲＡＭ（揮発性メモリ）
６４  デバイス認識確保部
【図１】
2010257354.tif 000003
【図２】
2010257354.tif 000004
【図３】
2010257354.tif 000005
【図４】
2010257354.tif 000006
【図５】
2010257354.tif 000007
【図６】
2010257354.tif 000008
【図７】
2010257354.tif 000009
【図８】
2010257354.tif 000010